(57)【特許請求の範囲】
【請求項１】
連続螺旋状に成形された伸縮自在のチェーンコイルを電柱間に張設されたメッセンジャーワイヤに対して着脱するための工具であって、前記チェーンコイルを螺旋内側から支持する支持棒と、該支持棒の回転駆動手段とを備え、前記支持棒に前記チェーンコイルの端部を係止する係止穴からなる係止部を設け、該係止穴の内側面に弾性部材を配置したチェーンコイル着脱用工具。
【請求項２】
前記回転駆動手段が手廻しハンドルである請求項１に記載のチェーンコイル着脱用工具。
【請求項３】
前記回転駆動手段が電動モータである請求項１に記載のチェーンコイル着脱用工具。
【請求項４】
前記支持棒が回転駆動手段に対して着脱可能な構成を有し、寸法が異なる複数本の支持棒からチェーンコイルの寸法に適合する１本の支持棒を選択して前記回転駆動手段に取り付けるようにした請求項１〜３のいずれかに記載のチェーンコイル着脱用工具。
【発明の詳細な説明】
【０００１】
【発明の属する技術分野】
本発明は、通信用ケーブルや送電用ケーブル等の各種ケーブルの架設においてケーブル延線用治具およびケーブル固定用吊具として使用されるチェーンコイルをメッセンジャーワイヤ等に着脱する工具に関し、さらに詳しくは、チェーンコイルの着脱を簡単かつ迅速に行うことを可能にしたチェーンコイル着脱用工具に関するものである。
【０００２】
【従来の技術】
本発明者等は、先に通信用ケーブルや送電用ケーブル等を簡単に架設できるようにする手段として、合成樹脂から連続螺旋状に成形された伸縮自在のチェーンコイルを提案した。
【０００３】
このチェーンコイルを使用してケーブルを架設するには、図３（ａ）〜図３（ｃ）に示すように、電柱間に抗張材としてメッセンジャーワイヤＷを張設した後、一方の電柱側でメッセンジャーワイヤＷにチェーンコイルＣを挿入すると共に、チェーンコイルＣの電柱側の端部を電柱又はメッセンジャーワイヤＷに連結し、チェーンコイルＣの螺旋内側にケーブルＬを挿入し、このケーブルＬをチェーンコイルＣの他端側と共にメッセンジャーワイヤＷに沿って延線する。チェーンコイルＣはメッセンジャーワイヤＷに沿って伸長するにしたがって縮径し、電柱間においてケーブルＬがメッセンジャーワイヤＷに対して一定間隔で懸下された状態にする。
【０００４】
このようにチェーンコイルを使用すると、メッセンジャーワイヤに対するケーブルの延線と懸下固定とを同時に行うことが可能になるので、ケーブル架設時の作業性を著しく向上することができる。
【０００５】
上記ケーブル架設作業ではケーブルの延線に先駆けてチェーンコイルを図３（ａ）のようにメッセンジャーワイヤに装着する必要がある。従来、このようにチェーンコイルをメッセンジャーワイヤに装着する作業は、手作業により、先ずチェーンコイルの端部をメッセンジャーワイヤに引掛け、次いでチェーンコイル全体を回転させながら螺旋内側にメッセンジャーワイヤを巻き込むようにするが、その回転操作に手間がかかっていた。従って、チェーンコイルの着脱作業を簡便化することができれば、ケーブル架設時の作業性を更に飛躍的に向上することができるので、そのような着脱手段の開発が要求されていた。
【０００６】
【発明が解決しようとする課題】
本発明の目的は、ケーブル架設工事に使用するチェーンコイルのメッセンジャーワイヤに対する着脱を簡単かつ迅速に行うことを可能にしたチェーンコイル着脱用工具を提供することにある。
【０００７】
【課題を解決するための手段】
上記目的を達成するための本発明のチェーンコイル着脱用工具は、連続螺旋状に成形された伸縮自在のチェーンコイルを電柱間に張設されたメッセンジャーワイヤに対して着脱するための工具であって、前記チェーンコイルを螺旋内側から支持する支持棒と、該支持棒の回転駆動手段とを備え、前記支持棒に前記チェーンコイルの端部を係止する係止穴からなる係止部を設け、該係止穴の内側面に弾性部材を配置したことを特徴とする。
【０００８】
本発明のチェーンコイル着脱用工具によれば、チェーンコイルの螺旋内側に支持棒を挿入し、チェーンコイルの後端部を支持棒に係止すると共に、該支持棒をメッセンジャーワイヤの近傍に配置し、チェーンコイルの先端部をメッセンジャーワイヤに掛け回した後、回転駆動手段によって支持棒をその軸廻りに回転させるだけで、メッセンジャーワイヤを自動的に螺旋内側に巻き込むようにチェーンコイルを徐々に送り出すことができるので、チェーンコイルをメッセンジャーワイヤに対して簡単かつ迅速に取り付けることができる。また、上記操作と逆の操作を行えば、既に装着済みのチェーンコイルをメッセンジャーワイヤから簡単かつ迅速に取り外すことができる。
【０００９】
【発明の実施の形態】
以下、本発明を図に示す実施形態を参照して具体的に説明する。
図１は、本発明の実施形態からなるチェーンコイル着脱用工具を例示するものである。図において、チェーンコイル着脱用工具は、チェーンコイルを外挿する手段である支持棒１と、この支持棒１の後端部１ａに連結された回転駆動手段２とを備えている。
【００１０】
支持棒１は長尺の円柱状又は円筒状に形成されている。支持棒１の構成材料としては木材、樹脂、金属などを挙げることができ、特に軽量かつ高強度のアルミニウムを使用することが好ましい。支持棒１の外径は非伸長状態のチェーンコイルの内径よりも小さくすることが必要であり、例えば２０〜６０ｍｍの範囲に設定するとよい。また、支持棒１の長さは非伸長状態のチェーンコイルの長さよりも長くすることが必要であり、例えば８０〜１２０ｃｍの範囲に設定するとよい。この支持棒１は回転駆動手段２に対して着脱可能な構造にしてもよい。この場合、寸法が異なる複数本の支持棒１を用意しておき、これら複数本の支持棒１の中から使用するチェーンコイルの寸法に適合するものを選択し、それを回転駆動手段２に対して交換自在に取り付けるようにしてもよい。
【００１１】
支持棒１の後端部１ａにはチェーンコイルの係止部として係止穴１ｂが設けられており、この係止穴１ｂにチェーンコイルの端部を挿入して係止するようになっている。上記のような係止穴１ｂの場合は、係止穴１ｂの内側面にゴム等の弾性部材を配置し、係止穴１ｂに挿入されたチェーンコイルの端部を弾性的に係止することが可能である。
【００１２】
回転駆動手段２は、支持棒１に連結された回転軸２ａを握部２ｂに対して回転自在に保持すると共に、ハンドル２ｃの回転を一対の傘歯車を介して回転軸２ａに伝達するように構成されている。図示の例は回転駆動手段を手廻しハンドルから構成したものであるが、この回転駆動手段として小型電動モータを取り付けてもよい。
【００１３】
次に、上記チェーンコイル着脱用工具の動作について説明する。図２（ａ）に示すように、先ず、チェーンコイルＣの螺旋内側に支持棒１を挿入し、チェーンコイルＣの後端部を支持棒１の後端部１ａに設けた係止穴１ｂに差し込んで係止する。次に、図２（ｂ）に示すように、支持棒１をメッセンジャーワイヤＷの近傍に略平行に配置し、チェーンコイルＣの先端部をメッセンジャーワイヤＷに１〜２周だけ掛け回すようにする。
【００１４】
そして、図２（ｃ）に示すように、回転駆動手段２のハンドル２ｃを回して支持棒１をその軸廻りに回転させると、後端部１ａで係止されたチェーンコイルＣが支持棒１と共に回転するので、メッセンジャーワイヤＷを螺旋内側に巻き込むようにチェーンコイルＣを徐々に送り出し、チェーンコイルＣをメッセンジャーワイヤＷに対して取り付けることができる。
【００１５】
また、チェーンコイルＣをメッセンジャーワイヤＷから取り外す場合は、チェーンコイルＣの後端部又は先端部を支持棒１の後端部１ａに係止し、支持棒１に上記操作とは逆方向の回転を与えることにより、支持棒１の周囲にチェーンコイルＣを巻き取ることができる。
このように本発明のチェーンコイル着脱用工具を使用すれば、チェーンコイルＣのメッセンジャーワイヤＷに対する着脱を従来のような手作業に比べて簡単かつ迅速に行うことができる。
【００１６】
【発明の効果】
以上説明したように本発明によれば、連続螺旋状に成形された伸縮自在のチェーンコイルを電柱間に張設されたメッセンジャーワイヤに対して着脱するための工具であって、前記チェーンコイルを螺旋内側から支持する支持棒と、該支持棒の回転駆動手段とを備え、前記支持棒に前記チェーンコイルの端部を係止する係止穴からなる係止部を設け、該係止穴の内側面に弾性部材を配置したチェーンコイル着脱用工具を使用することにより、チェーンコイルのメッセンジャーワイヤに対する着脱を簡単かつ迅速に行うことができ、これによりチェーンコイルの使用で合理化されたケーブル架設時の作業性を更に飛躍的に向上することが可能になる。
【図面の簡単な説明】
【図１】本発明の実施形態からなるチェーンコイル着脱用工具を示す側面図である。
【図２】（ａ）〜（ｃ）は本発明のチェーンコイル着脱用工具を使用したチェーンコイルの取り付け方法を示す上面図である。
【図３】（ａ）〜（ｃ）はチェーンコイルを使用したケーブル架設方法を示す側面図である。
【符号の説明】
１  支持棒
１ａ  後端部
１ｂ  係止穴（係止部）
２  回転駆動手段
Ｃ  チェーンコイル
Ｗ  メッセンジャーワイヤ
【図１】
0003986658.tif 000002
【図２】
0003986658.tif 000003
【図３】
0003986658.tif 000004